(57)【特許請求の範囲】
【請求項１】
温水を生成する温水暖房熱源機と、
室内に設置され、前記温水暖房熱源機において生成される温水と室内空気との熱交換を行う温水暖房端末機と、
前記温水暖房熱源機と前記温水暖房端末機との間で温水を循環させるための温水循環路と、
前記温水暖房熱源機及び前記温水暖房端末機の制御を行うコントローラと、を備え、
前記温水暖房端末機は、
室内空気が送風される送風路と、
前記送風路内部に室内空気を循環させるファンと、
前記送風路内の空気と前記温水循環路から供給される温水との熱交換を行う熱交換器と、
前記送風路を通過する室内空気の温度を検出する温度センサと、
を備えた温水暖房システムであって、
前記コントローラは、
前記温水暖房端末機の試運転を行う試運転モードに設定された場合、前記温水暖房熱源機において温水の生成を開始するとともに、生成される温水を前記温水循環路に循環させる暖房制御手段と、
前記試運転モードに設定された場合、前記ファンを起動するファン制御手段と、
前記ファン制御手段によりファンが起動されてから後に前記温度センサにより検出される温度を基準温度Ｔ０として設定する基準温度設定手段と、
前記基準温度Ｔ０が設定された後の所定の判定期間が経過するまでの間に、前記温度センサにより検出される室内空気の温度Ｔが、前記基準温度Ｔ０に所定の閾値温度Ｔｔｈを加えた値を超えなかった場合には、不良判定信号を出力する判定出力手段と、を備え、
前記基準温度設定手段は、
前記ファン制御手段によりファンが起動されたときに、前記温度センサにより検出される温度を基準温度Ｔ０として設定する基準温度初期化手段と、
前記基準温度初期化手段が基準温度を設定した後に、前記温度センサが検出する温度Ｔが前記基準温度Ｔ０よりも低くなった場合、当該基準温度Ｔ０を当該検出温度Ｔに更新する基準温度更新手段と、
を備えたことを特徴とする温水暖房システム。
【請求項２】
温水を生成する温水暖房熱源機と、
室内に設置され前記温水暖房熱源機において生成される温水と室内空気との熱交換を行う温水暖房端末機と、
前記温水暖房熱源機と前記温水暖房端末機との間で温水を循環させるための温水循環路と、
前記温水暖房熱源機及び前記温水暖房端末機の制御を行うコントローラと、を備え、
前記温水暖房端末機は、
室内空気が送風される送風路と、
前記送風路内部に室内空気を循環させるファンと、
前記送風路内の空気と前記温水循環路から供給される温水との熱交換を行う熱交換器と、
前記送風路を通過する室内空気の温度を検出する温度センサと、
を備えた温水暖房システムにおける前記コントローラの制御を行うプログラムであって、
前記温水暖房端末機の試運転を行う試運転モードに設定された場合、前記温水暖房熱源機において温水の生成を開始するとともに、生成される温水を前記温水循環路に循環させる暖房制御手段と、
前記試運転モードに設定された場合、前記ファンを起動するファン制御手段と、
前記ファン制御手段によりファンが起動されてから後に前記温度センサにより検出される温度を基準温度Ｔ０として設定する基準温度設定手段と、
前記基準温度Ｔ０が設定された後の所定の判定期間が経過するまでの間に、前記温度センサにより検出される室内空気の温度Ｔが、前記基準温度Ｔ０に所定の閾値温度Ｔｔｈを加えた値を超えなかった場合には、不良判定信号を出力する判定出力手段と、を備え、
前記基準温度設定手段は、
前記ファン制御手段によりファンが起動されたときに、前記温度センサにより検出される温度を基準温度Ｔ０として設定する基準温度初期化手段と、
前記基準温度初期化手段が基準温度を設定した後に、前記温度センサが検出する温度Ｔが前記基準温度Ｔ０よりも低くなった場合、当該基準温度Ｔ０を当該検出温度Ｔに更新する基準温度更新手段と、
を備えたことを特徴とするプログラム。
【請求項３】
温水を生成する温水暖房熱源機と、
室内に設置され前記温水暖房熱源機において生成される温水と室内空気との熱交換を行う温水暖房端末機と、
前記温水暖房熱源機と前記温水暖房端末機との間で温水を循環させるための温水循環路と、
前記温水暖房熱源機及び前記温水暖房端末機の制御を行うコントローラと、を備え、
前記温水暖房端末機は、
室内空気が送風される送風路と、
前記送風路内部に室内空気を循環させるファンと、
前記送風路内の空気と前記温水循環路から供給される温水との熱交換を行う熱交換器と、
前記送風路を通過する室内空気の温度を検出する温度センサと、
を備えた温水暖房システムの試運転制御方法であって、
前記温水暖房端末機の試運転を行う試運転モードに設定された場合、前記温水暖房熱源機において温水の生成を開始するとともに、生成された温水を前記温水循環路に循環させる暖房開始ステップと、
前記試運転モードに設定された場合、前記ファンを起動するファン起動ステップと、
ファンが起動されたときに、前記温度センサにより検出される温度を基準温度Ｔ０として設定する基準温度初期化ステップと、
前記温度センサが検出する温度Ｔが前記基準温度Ｔ０よりも低くなった場合、当該基準温度Ｔ０を当該検出温度Ｔに更新する基準温度更新ステップと、
前記基準温度Ｔ０が設定された後の所定の判定期間が経過するまでの間に、前記温度センサにより検出される室内空気の温度Ｔが、前記基準温度Ｔ０に所定の閾値温度Ｔｔｈを加えた値を超えなかった場合には、不良判定信号を出力する判定出力ステップと、
を有することを特徴とする試運転制御方法。
【発明の詳細な説明】
【技術分野】
【０００１】
本発明は、温水暖房熱源機に室内暖房用の温水暖房端末機を温水循環路で接続した温水暖房システムに係り、特に温水暖房端末機の配管接続後の試運転時に温水暖房端末機の暖房機能が正常に動作するか否かの良否判定を行う試運転制御技術に関する。
【背景技術】
【０００２】
一般に、温水ルームヒータや浴室暖房乾燥装置など、温水暖房熱源機に室内暖房用の温水暖房端末機を温水循環路で接続した構成の温水暖房システムは広く使用されている。この種の温水暖房システムでは、温水暖房端末機を温水循環路で配管接続した後に暖房の試運転を行い、暖房機能が正常に動作するか否かの良否判定を行う必要がある。この良否判定は、温水循環路で配管ミスや詰まりなどの検査のために実施される。
【０００３】
かかる試運転における暖房機能の良否判定に関する技術としては、特許文献１〜３に記載されたものが公知である。
【０００４】
特許文献１には、「空気調和機の誤配管チェックの際に、まず、室内機に滞留する冷媒を抜いた後に室内熱交換器の入口温度Ｔ０を検出し、次いで冷媒を流して冷媒が流入した後の室内熱交換器の入口温度Ｔ１を検出し、偏差Ｔ１−Ｔ０を求め、この偏差を閾値判定することにより、誤配管のチェックを行う方法」が記載されている。
【０００５】
特許文献２には、「圧縮機及び室外熱交換器を有する１台の室外ユニットと、それぞれが室内熱交換器を有し、分岐ユニットを介して上記室外ユニットに配管接続及び配線接続される複数台の室内ユニットから成るマルチシステム型の空気調和機において、上記室内ユニットに設けられた室内熱交換器の温度を検知する熱交換器温度センサと、上記室内ユニットに設けられ上記熱交換器温度センサの検知温度が所定値以上に変化したときその旨の信号を出力する手段と、チェックスイッチと、このチェックスイッチの操作時に上記圧縮機を運転し上記室内ユニットに順次に冷媒を流す手段と、上記チェックスイッチの操作時に上記各室内ユニットの信号出力を監視して同各室内ユニットの配管又は配線の異常を判定する手段とを具備したことを特徴とする空気調和機」が記載されている。
【０００６】
また、特許文献３には、「圧縮機及び室外熱交換器を内蔵する複数の室外ユニットに対して、ファンを付設した室内熱交換器を内蔵する室内ユニットが配置されて成る複数の冷媒回路を備えた空気調和装置であって、試運転信号を出力する指令信号出力手段と、該指令信号出力手段の出力を受け、上記各ファンを強風量にして各圧縮機を運転する試運転手段とを備える一方、上記各室内ユニットごとに、上記各室内熱交換器の液管温度を検出する液管温度検出手段と、各室内熱交換器のガス管温度を検出するガス管温度検出手段と、該両検出手段の出力を受け、ガス管温度と液管温度との差温を演算する差温演算手段と、上記試運転制御手段による一つの冷媒回路側の試運転時、上記差温演算手段の出力を受け、試運転開始時における初期差温値を記憶する記憶手段と、差温演算手段の出力を受け、試運転開始後所定の時間が経過したときの差温値と上記記憶手段に記憶される初期差温値との偏差を所定値と大小比較する比較手段と、該比較手段の出力を受け、上記偏差が所定値よりも大きいときには正常接続信号を出力する正常信号出力手段と、偏差が所定値以下の時には誤接続信号を出力する誤接続信号出力手段と、を備えたことを特徴とする空気調和装置」が記載されている。
【特許文献１】特開平７−４７９８号公報
【特許文献２】特開平３−２３６５５４号公報
【特許文献３】特開平２−２３００４５号公報
【発明の開示】
【発明が解決しようとする課題】
【０００７】
ところで、温水暖房システムでは、１台の温水暖房熱源機に対して複数台の温水暖房端末機を接続して使用することが一般的に行われる。
【０００８】
例えば、図１に示した構成の温水暖房システムにおいては、温水暖房熱源機１に対して、温水暖房端末機である浴室暖房乾燥装置２と床暖房装置３とが接続されている。浴室暖房乾燥装置２は、浴室１０の室内の壁面の天井付近に設置される。浴室暖房乾燥装置２は、浴室１０内の空気を吸い込み、内蔵された温水ヒータにより加熱し、もって浴室・洗濯物等を乾燥させる。床暖房装置３は、室内の床上又は床下に敷設され、温水熱を利用して床暖房を行う。
【０００９】
温水暖房熱源機１の内部には、貯湯タンクやバーナー，熱交換器等からなる熱生成ユニット４及び温水を温水循環路６に循環させるための循環ポンプ５が設けられている。
【００１０】
浴室暖房乾燥装置２及び床暖房装置３は、温水循環路６によって温水暖房熱源機１に配管接続されている。ここで、温水循環路６は、温水暖房熱源機１から各温水暖房端末機に温水を送る往側温水循環路６ａと、各温水暖房端末機で使用（放熱）された温水を温水暖房熱源機１に戻す戻側温水循環路６ｂとで構成される。さらに、往側温水循環路６ａ及び戻側温水循環路６ｂの途中には、それぞれヘッダ７ａ，７ｂが設けられている。ヘッダ７ａ，７ｂにおいて、往側温水循環路６ａ，戻側温水循環路６ｂは複数の支管に分岐し、各支管はそれぞれの温水暖房端末機（浴室暖房乾燥装置２，床暖房装置３）に接続されている。ヘッダ７ａ，７ｂには、複数の支管が接続可能であり、温水暖房端末機をさらに増設可能とされている。
【００１１】
図２，図３は、図１の浴室暖房乾燥装置２の断面図である。浴室暖房乾燥装置２の内部には、室内空気が送風される送風路２１が形成されている。また、この送風路２１内には、クロスフロー・ファン２２、熱交換器２３、室温温度センサ２４、及び熱交温度センサ２５が配設されている。送風路２１は、一端が浴室暖房乾燥装置２の上面乃至前面上部に開口し、他端が浴室暖房乾燥装置２の前面下部に開口している。送風路２１の上部開口端には、熱交換器２３と室温温度センサ２４が配設されている。また、送風路２１の下部開口端には、ルーバー２６が開閉自在に配設されている。ルーバー２６は、ルーバーモータ２７により開閉駆動される。
【００１２】
また、熱交換器２３の温水流入側には、熱交換器２３に流入する温水の温度を検出する熱交温度センサ２５が設けられている
【００１３】
クロスフロー・ファン２２は、送風路２１の内部に室内空気を循環させるファンである。クロスフロー・ファン２２により、送風路２１の上部開口端から室内空気が送風路２１内に吸引され、送風路２１の下部開口端から送風路２１内の空気は室内に放出される。
【００１４】
熱交換器２３は、温水暖房熱源機１から温水循環路６を介して供給される温水と、送風路２１内の空気との熱交換を行う。従って、熱交換により暖められた空気が送風路２１の下部開口端から室内に放出される。このとき、送風路２１に吸引される室内空気の温度が室温温度センサ２４により検出される。
【００１５】
このような温水暖房システムにおいて、浴室暖房乾燥装置２の暖房機能の試験運転を行う場合に従来の方法を採った場合、まず室温温度センサ２４により温度を検出し、検出された温度を基準温度Ｔ０に設定する。次いで、温水暖房熱源機１を起動することにより、温水循環路６に温水を循環させながら室温温度センサ２４により温度を検出し、検出された温度Ｔと基準温度Ｔ０との差分温度ΔＴ＝Ｔ−Ｔ０を算出する。この差分温度ΔＴが、温水暖房熱源機１を起動してから一定の時間が経過するまでに、ある閾値ΔＴｔｈを超えた場合には、浴室暖房乾燥装置２の暖房機能は正常であると判定し、それ以外の場合には浴室暖房乾燥装置２の暖房機能は不良であると判定することになる。
【００１６】
しかしながら、例えば、最初に床暖房装置３の暖房機能の試験運転を行い、その次に浴室暖房乾燥装置２の暖房機能の試験運転を行う場合のように、浴室暖房乾燥装置２の暖房機能の試験運転が２番目以降の場合には次のような問題が生じる。
【００１７】
例えば、最初に床暖房装置３の暖房機能の試験運転を行うと、試験運転時には温水暖房熱源機１を起動して温水循環路６に温水を循環させる。このとき、床暖房装置３に接続された温水循環路６の支管に温水が循環されると同時に、浴室暖房乾燥装置２に接続された温水循環路６の支管に温水が循環される。この場合、浴室暖房乾燥装置２はクロスフロー・ファン２２が停止状態のまま熱交換器２３に温水が循環するため、送風路２１内の空気が暖められて送風路２１の下方から上方に向かって暖気の自然対流が生じる。この自然対流により、室温温度センサ２４で検出される温度は、室温よりも高温となる。
【００１８】
この状態において、従来の方法により浴室暖房乾燥装置２の暖房機能の試験運転を行うと、試運転の最初に設定される基準温度Ｔ０が、室温よりも高温の値となる。従って、温水を循環させながら室温温度センサ２４により温度Ｔを検出し差分温度ΔＴ＝Ｔ−Ｔ０を算出したとしても、基準温度Ｔ０が高いため差分温度ΔＴが大きくならず、閾値ΔＴｔｈを超えることができない場合が生じる。かかる場合、浴室暖房乾燥装置２の暖房機能が正常であるにもかかわらず、熱交換器２３の予熱の影響により暖房機能は不良であると判定され、浴室暖房乾燥装置２が使用できない状況が生じる。
【００１９】
そこで、本発明の目的は、熱交換器の予熱などの影響を受けず、温水暖房端末機の暖房機能の良否判定を常に正確に行うことが可能な温水暖房システムを提供することにある。
【課題を解決するための手段】
【００２０】
本発明に係る温水暖房システムの構成は、温水を生成する温水暖房熱源機と、室内に設置され、前記温水暖房熱源機において生成される温水と室内空気との熱交換を行う温水暖房端末機と、前記温水暖房熱源機と前記温水暖房端末機との間で温水を循環させるための温水循環路と、前記温水暖房熱源機及び前記温水暖房端末機の制御を行うコントローラとを備え、前記温水暖房端末機は、室内空気が送風される送風路と、前記送風路内部に室内空気を循環させるファンと、前記送風路内の空気と前記温水循環路から供給される温水との熱交換を行う熱交換器と、前記送風路を通過する室内空気の温度を検出する温度センサと、を備えた温水暖房システムであって、前記コントローラは、前記温水暖房端末機の試運転を行う試運転モードに設定された場合、前記温水暖房熱源機において温水の生成を開始するとともに、生成される温水を前記温水循環路に循環させる暖房制御手段と、前記試運転モードに設定された場合、前記ファンを起動するファン制御手段と、前記ファン制御手段によりファンが起動されてから後に前記温度センサにより検出される温度を基準温度Ｔ０として設定する基準温度設定手段と、前記基準温度Ｔ０が設定された後の所定の判定期間が経過するまでの間に、前記温度センサにより検出される室内空気の温度Ｔが、前記基準温度Ｔ０に所定の閾値温度Ｔｔｈを加えた値を超えなかった場合には、不良判定信号を出力する判定出力手段とを備え、前記基準温度設定手段は、前記ファン制御手段によりファンが起動されたときに、前記温度センサにより検出される温度を基準温度Ｔ０として設定する基準温度初期化手段と、前記基準温度初期化手段が基準温度を設定した後に、前記温度センサが検出する温度Ｔが前記基準温度Ｔ０よりも低くなった場合、当該基準温度Ｔ０を当該検出温度Ｔに更新する基準温度更新手段と、
を備えたことを特徴とする。
【００２１】
この構成によれば、試運転モードにおいて、試運転モードに入る前に、熱交換器の予熱などの影響によって送風路内の温度が室温よりも高くなっていた場合でも、基準温度設定手段は、ファンの起動後送風路内の温度が最低温度となったときのその最低温度を基準温度Ｔ０として設定する。従って、基準温度Ｔ０として室温に最も近い温度が設定されるため、判定出力手段による温水暖房端末機の暖房機能の良否判定を常に正確に行うことが常に保証される。
【００２２】
これにより、基準温度が熱交換器の予熱などの影響により室温を大きく外れて高く設定されることを防止できるため、判定出力手段による温水暖房端末機の暖房機能の良否判定を常に正確に行うことが可能となる。
【００２３】
ここで、「温水暖房熱源機」とは、暖房用の温水を生成するための機器をいう。温水暖房熱源機としては、温水暖房専用熱源機、給湯器、コージェネレーション熱源機等を使用することができる。「温水暖房端末機」とは、温水暖房熱源機において生成される温水と室内空気との熱交換を行う暖房機器をいう。温水暖房端末機としては、温水ルームヒータ、温水エアコン、浴室暖房乾燥装置、床暖房放熱器等を使用することができる。
【００２４】
「試運転モード」とは、コントローラの制御モードであって、温水暖房端末機が正常に暖房を行えるか否かの試運転を行う動作モードをいう。
【００２５】
「基準温度」とは、温水暖房端末機が正常に暖房を行えるか否かの判定を行う際に使用する温度であって、暖房開始前の室内温度の指標とされる温度である。尚、基準温度は必ずしも正確に暖房前の室温である必要はない。
【００２６】
「判定期間」は、試運転開始後に温水暖房端末機により実際に暖房が行われたか否かを判定する期間をいう。判定期間は、実測により設定するのが好ましい。判定期間の起点は特に限定するものではなく、試運転モードになった時点、ファンが起動された時点、基準温度が設定された時点などを起点とすることができる。
【００２７】
「不良判定信号」とは、温水暖房端末機が正常に暖房を行うことができないことを報知するための信号をいう。また、判定出力手段が温水暖房端末機の暖房機能の良否判定を行うための「閾値温度」は、特に限定するものではなく、温水暖房端末機の設置環境に合わせて任意に設定することができる。
【００２８】
本発明に係るプログラムの構成は、温水を生成する温水暖房熱源機と、室内に設置され前記温水暖房熱源機において生成される温水と室内空気との熱交換を行う温水暖房端末機と、前記温水暖房熱源機と前記温水暖房端末機との間で温水を循環させるための温水循環路と、前記温水暖房熱源機及び前記温水暖房端末機の制御を行うコントローラとを備え、前記温水暖房端末機は、室内空気が送風される送風路と、前記送風路内部に室内空気を循環させるファンと、前記送風路内の空気と前記温水循環路から供給される温水との熱交換を行う熱交換器と、前記送風路を通過する室内空気の温度を検出する温度センサとを備えた温水暖房システムにおける前記コントローラの制御を行うプログラムであって、前記温水暖房端末機の試運転を行う試運転モードに設定された場合、前記温水暖房熱源機において温水の生成を開始するとともに、生成される温水を前記温水循環路に循環させる暖房制御手段と、前記試運転モードに設定された場合、前記ファンを起動するファン制御手段と、前記ファン制御手段によりファンが起動されてから後に前記温度センサにより検出される温度を基準温度Ｔ０として設定する基準温度設定手段と、前記基準温度Ｔ０が設定された後の所定の判定期間が経過するまでの間に、前記温度センサにより検出される室内空気の温度Ｔが、前記基準温度Ｔ０に所定の閾値温度Ｔｔｈを加えた値を超えなかった場合には、不良判定信号を出力する判定出力手段と、を備え、前記基準温度設定手段は、前記ファン制御手段によりファンが起動されたときに、前記温度センサにより検出される温度を基準温度Ｔ０として設定する基準温度初期化手段と、前記基準温度初期化手段が基準温度を設定した後に、前記温度センサが検出する温度Ｔが前記基準温度Ｔ０よりも低くなった場合、当該基準温度Ｔ０を当該検出温度Ｔに更新する基準温度更新手段と、を備えたことを特徴とする。
【００２９】
この構成により、プログラムを温水暖房システムのコントローラにおいて実行させることにより、上記構成の温水暖房システムと同様の機能が実現され、基準温度Ｔ０として室温に最も近い温度が設定されるため、判定出力手段による温水暖房端末機の暖房機能の良否判定を常に正確に行うことが常に保証される。従って、判定出力手段による温水暖房端末機の暖房機能の良否判定を常に正確に行うことが可能となる。
【００３０】
また、本発明に係る温水暖房システムの試運転制御方法の構成は、温水を生成する温水暖房熱源機と、室内に設置され前記温水暖房熱源機において生成される温水と室内空気との熱交換を行う温水暖房端末機と、前記温水暖房熱源機と前記温水暖房端末機との間で温水を循環させるための温水循環路と、前記温水暖房熱源機及び前記温水暖房端末機の制御を行うコントローラとを備え、前記温水暖房端末機は、室内空気が送風される送風路と、前記送風路内部に室内空気を循環させるファンと、前記送風路内の空気と前記温水循環路から供給される温水との熱交換を行う熱交換器と、前記送風路を通過する室内空気の温度を検出する温度センサと、を備えた温水暖房システムの試運転制御方法であって、前記温水暖房端末機の試運転を行う試運転モードに設定された場合、前記温水暖房熱源機において温水の生成を開始するとともに、生成された温水を前記温水循環路に循環させる暖房開始ステップと、前記試運転モードに設定された場合、前記ファンを起動するファン起動ステップと、ファンが起動されたときに、前記温度センサにより検出される温度を基準温度Ｔ０として設定する基準温度初期化ステップと、前記温度センサが検出する温度Ｔが前記基準温度Ｔ０よりも低くなった場合、当該基準温度Ｔ０を当該検出温度Ｔに更新する基準温度更新ステップと、前記基準温度Ｔ０が設定された後の所定の判定期間が経過するまでの間に、前記温度センサにより検出される室内空気の温度Ｔが、前記基準温度Ｔ０に所定の閾値温度Ｔｔｈを加えた値を超えなかった場合には、不良判定信号を出力する判定出力ステップとを有することを特徴とする。
【発明の効果】
【００３１】
以上のように、本発明によれば、試運転モードにおいて、ファンの起動後「所定時間」が経過した後に温度センサの検出温度を基準温度Ｔ０として設定するようにしたことで、基準温度が熱交換器の予熱などの影響により室温を大きく外れて高く設定されることを防止でき、判定出力手段による温水暖房端末機の暖房機能の良否判定を常に正確に行うことが可能となる。
【発明を実施するための最良の形態】
【００３２】
以下、本発明を実施するための最良の形態について、図面を参照しながら説明する。
【実施例１】
【００３３】
図１は、本発明の実施例１に係る温水暖房システムの構成を示す図である。また、図２，図３は、図１の浴室暖房乾燥装置２の前パネルを外した状態の正面図及び断面図である。これらの図面の各部の構成についてはすでに述べたため、ここでは詳細な説明は省略する。
【００３４】
尚、図１において、温水暖房熱源機１には、自動試運転動作の制御を行うコントローラ１１が設けられている。また、浴室１０内には、コントローラ１１に対し指令を送るためのリモコン１２が設けられている。
【００３５】
図４は、本発明の実施例１に係る温水暖房システムの自動試運転機能に関する機能構成を表すブロック図である。図４において、温水暖房熱源機１、浴室暖房乾燥装置２、熱生成ユニット４、循環ポンプ５、コントローラ１１、リモコン１２、クロスフロー・ファン２２、室温温度センサ２４、熱交温度センサ２５、及びルーバーモータ２７は、図１〜３で同符号を付したものに対応している。
【００３６】
浴室暖房乾燥装置２内には、温水循環路６の開閉を行う熱動弁１３が備えられている。また、コントローラ１１は、機器動作制御手段３１、基準温度設定手段３２、判定出力手段３３、及びタイマ３４を備えている。
【００３７】
機器動作制御手段３１は、自動試運転動作における温水暖房熱源機１及び浴室暖房乾燥装置２内の各種機器の制御を行うブロックである。また、基準温度設定手段３２は、クロスフロー・ファン２２が起動されて後に室温温度センサ２４により検出される温度を基準温度Ｔ０として設定するブロックである。
【００３８】
判定出力手段３３は、室温温度センサ２４が検出する室内空気の温度Ｔ１と、基準温度Ｔ０とを比較し閾値判定することにより、試運転が正常に行われたか否かを判定する判定信号を出力するブロックである。また、タイマ３４は、暖房運転が開始されてからの経過時間を計測するものである。
【００３９】
上記機器動作制御手段３１は、水張り手段３５、暖房制御手段３６、及びファン制御手段３７を備えている。水張り手段３５は、リモコン１２からの自動試運転開始の指令信号により試運転モードに設定されると、温水循環路６内に水張りをする制御を行う。暖房制御手段３６は、試運転モードに設定された場合、熱生成ユニット４を起動して温水の生成を開始するとともに、循環ポンプ５を起動して生成される温水を温水循環路６に循環させる制御を行う。ファン制御手段３７は、試運転モードに設定された場合、クロスフロー・ファン２２を起動する制御を行う。
【００４０】
また、基準温度設定手段３２は、基準温度初期化手段３８、基準温度更新手段３９、及び基準温度記憶手段４０を備えている。基準温度初期化手段３８は、ファン制御手段３７によりファンが起動されたときに、室温温度センサ２４により検出される温度を初期の基準温度Ｔ０として設定し、基準温度記憶手段４０に格納する。基準温度更新手段３９は、基準温度初期化手段３８が基準温度Ｔ０を設定した後に、室温温度センサ２４が検出する温度Ｔ１が基準温度Ｔ０よりも低くなった場合、当該基準温度Ｔ０を当該検出温度Ｔ１に更新する。
【００４１】
尚、コントローラ１１の各機能ブロックは、ハードウェア的に構成してもよいが、コントローラ１１を制御するプログラム・モジュールとして作成し、各プログラム・モジュールをコントローラ１１のＣＰＵに読み込ませて実行することにより各機能ブロックを実現するように構成することもできる。
【００４２】
以上のように構成された本実施例１に係る温水暖房システムについて、以下その自動試運転動作について説明する。
【００４３】
図５は、実施例１に係る温水暖房システムの自動試運転動作を表すフローチャートである。
【００４４】
まず、ステップＳ１において、温水暖房熱源機１のコントローラ１１は、リモコン１２から自動試運転開始の指令信号が送信されるまで待機する。ユーザにより、リモコン１２において自動試験スイッチがＯＮ状態とされると、リモコン１２から温水暖房熱源機１のコントローラ１１に対して自動試運転開始の指令信号が送信される。コントローラ１１は、自動試運転開始の指令信号を受信すると、コントローラ１１は試運転モードとなり、次のステップＳ２に移行する。
【００４５】
ステップＳ２において、コントローラ１１のファン制御手段３７は、浴室暖房乾燥装置２のルーバーモータ２７により、ルーバー２６を開く。続いて、ステップＳ３において、暖房制御手段３６は、浴室暖房乾燥装置２の熱動弁１３を開弁し、温水循環路６内に温水が流れるようにする。
【００４６】
次に、ステップＳ４において、水張り手段３５は、循環ポンプ５を起動して、温水循環路６内の水張りを行う。これにより、温水循環路６には貯湯タンクの水が廻り、温水が循環し始める。
【００４７】
次に、ステップＳ５において、暖房運転を開始する。ファン制御手段３７は、浴室暖房乾燥装置２のクロスフロー・ファン２２を起動し、温水暖房熱源機１は燃焼を開始する。これにより、送風路２１内に上部から下部に向けて気流が発生し、熱交換器２３には室内空気が供給されるようになる。そして、室温温度センサ２４は、流入する室内空気に曝される。
【００４８】
次に、ステップＳ６において、ファン制御手段３７がクロスフロー・ファン２２を起動すると、タイマ３４は計時を開始する。
【００４９】
次に、ステップＳ７において、基準温度初期化手段３８は、浴室暖房乾燥装置２の室温温度センサ２４が検出する温度を取得し、基準温度記憶手段４０に記憶させて基準温度Ｔ０として設定する。
【００５０】
次に、ステップＳ８において、基準温度更新手段３９は、室温温度センサ２４が検出する温度Ｔ１を取得する。
【００５１】
そして、ステップＳ９において、基準温度更新手段３９は、温度Ｔ１と基準温度Ｔ０とを比較する。Ｔ１＜Ｔ０の場合には次のステップＳ１０に移行し、それ以外の場合はステップＳ１１に移行する。
【００５２】
Ｔ１＜Ｔ０の場合、ステップＳ１０において、基準温度更新手段３９は、温度Ｔ１を基準温度Ｔ０として設定する。
【００５３】
すなわち、室温温度センサ２４が熱交換器２３の予熱により熱せられていた場合、室温温度センサ２４は正しい室内空気の温度を検出できない。その場合、送風路２１を循環する空気によって室温温度センサ２４は冷却され、室内空気の温度まで冷却される。従って、クロスフロー・ファン２２が起動してしばらくの間は室温温度センサ２４の検出温度Ｔ１は下降する。そして、検出温度Ｔ１が最も下降したときが室温温度センサ２４と室内空気の温度が平衡したときである。従って、この検出温度Ｔ１の最低値を基準温度Ｔ０として設定することにより、熱交換器２３の予熱の影響を取り除くことができる。
【００５４】
次に、ステップＳ１１において、判定出力手段３３は、温度差Ｔ１−Ｔ０と閾値温度Ｔｔｈとを比較する。Ｔ１−Ｔ０≧Ｔｔｈの場合には、次のステップＳ１２に移行し、それ以外の場合はステップＳ１４に移行する。
【００５５】
ステップＳ１２において、判定出力手段３３は、熱交温度センサ２５の検出温度Ｔｈを取得する。そして、熱交温度Ｔｈが所定の閾値Ｔｔｈ２以上か否かを判定する。Ｔｈ≧Ｔｔｈ２の場合には、暖房機能は正常に機能しており次のステップＳ１３に移行する。それ以外の場合はステップＳ１４に移行する。
【００５６】
ステップＳ１３において、判定出力手段３３は、リモコン１２に対して、暖房機能は正常に機能していることを示す試運転ＯＫ信号を送信する。これを受けて、リモコン１２は、試運転が正常に行われたことを示す表示を行う。
【００５７】
そして、ステップＳ１６〜Ｓ１８において、ファン制御手段３７はルーバーモータ２７によりルーバー２６を閉じ、暖房制御手段３６は熱動弁１３を閉弁し、ファン制御手段３７はクロスフロー・ファン２２を停止して試運転動作を終了する。
【００５８】
一方、ステップＳ１１においてＴ１−Ｔ０＜Ｔｔｈの場合又はステップＳ１２においてＴｈ＜Ｔｔｈ２の場合、ステップＳ１４において、判定出力手段３３は、タイマ３４の計測時間が最大試験時間ｔｍａｘに達したか否かを判定する。ｔ＜ｔｍａｘの場合には、再びステップＳ８に戻る。ｔ≧ｔｍａｘの場合には、最大試験時間ｔｍａｘ内に温度が十分に上昇しなかったものと判定し、次のステップＳ１５に移行する。
【００５９】
ステップＳ１５において、判定出力手段３３は、リモコン１２に対して、暖房機能は正常に機能していないことを示す試運転ＮＧ信号を送信する。これを受けて、リモコン１２は、試運転が正常に行われなかったことを示す表示を行う。そして、上記ステップＳ１６〜Ｓ１８の動作を行って試運転動作を終了する。
【００６０】
以上のように、本実施例の温水暖房システムによれば、試運転モードにおいて、ファンの起動後、室温温度センサ２４の検出温度が最低となったときに室温温度センサ２４の検出温度を基準温度Ｔ０として設定するようにしたことで、基準温度Ｔ０が熱交換器２３の予熱などの影響により室温を大きく外れて高く設定されることを防止できる。そして、判定出力手段３３による浴室暖房乾燥装置２の暖房機能の良否判定を常に正確に行うことが可能となる。
【００６１】
尚、本実施例においては、基準温度更新手段３９は、室温温度センサ２４の検出温度の最低値を基準温度Ｔ０として設定する構成としたが、本発明の他の実施例においては、室温温度センサ２４は、ファン制御手段３７がクロスフロー・ファン２２を起動した後、一定の時間ｔｓｅｔが経過したときに室温温度センサ２４が検出する温度を基準温度Ｔ０として設定するようにしてもよい。このようにしても、時間ｔｓｅｔを適宜調整することで熱交換器２３の予熱などの影響を除くことができる。
【図面の簡単な説明】
【００６２】
【図１】本発明の実施例１に係る温水暖房システムの構成を示す図である。
【図２】図１の浴室暖房乾燥装置２の前パネルを外した状態の正面図である。
【図３】図１の浴室暖房乾燥装置２の断面図である。
【図４】本発明の実施例１に係る温水暖房システムの自動試運転機能に関する機能構成を表すブロック図である。
【図５】実施例１に係る温水暖房システムの自動試運転動作を表すフローチャートである。
【符号の説明】
【００６３】
１  温水暖房熱源機
２  浴室暖房乾燥装置
３  床暖房装置
４  熱生成ユニット
５  循環ポンプ
６  温水循環路
６ａ  往側温水循環路
６ｂ  戻側温水循環路
７ａ，７ｂ  ヘッダ
１０  浴室
１１  コントローラ
１２  リモコン
１３  熱動弁
２１  送風路
２２  クロスフロー・ファン
２３  熱交換器
２４  室温温度センサ
２５  熱交温度センサ
２６  ルーバー
２７  ルーバーモータ
３１  機器動作制御手段
３２  基準温度設定手段
３３  判定出力手段
３４  タイマ
３５  水張り手段
３６  暖房制御手段
３７  ファン制御手段
３８  基準温度初期化手段
３９  基準温度更新手段
４０  基準温度記憶手段
【図１】
0004678734.tif 000002
【図２】
0004678734.tif 000003
【図３】
0004678734.tif 000004
【図４】
0004678734.tif 000005
【図５】
0004678734.tif 000006